(57)【要約】      （修正有）【課題】靴と靴下の隙間をカバーで覆い、砂等の侵入を防止する防塵カバー付きの靴下を提供する。【解決手段】靴下３の足首部に防塵カバー１を取り付けることによって、靴下３とシューズ２の隙間を覆い砂等がシューズ２に侵入することを防ぐ構造になっている。防塵カバー１の最下部は靴３の底面より短くし移動中に靴３で防塵カバー１を踏むことがないようにした。【選択図】図１
0003193845.tif 000002
【実用新案登録請求の範囲】
【請求項１】
靴下に靴と靴下のすべての隙間を覆う防塵カバーを取り付けたことを特徴とする防塵カバー付き靴下。
【請求項２】
上記、防塵カバーの下部に重しを取り付けたことを特徴とする請求項１に記載の防塵カバー付き靴下。
【考案の詳細な説明】
【技術分野】
【０００１】
本考案はスポーツ（特にテニス）を行うときに靴の上方から入る砂等を防止するためのカバー付き靴下に関するもので、特に砂入り人工芝コート（オムニコート）で有用に利用できるものに関する。
【背景技術】
【０００２】
砂入り人工芝コート（オムニコート）でテニスを行う場合、主に靴と靴下を履いた足の隙間から砂等が侵入し、違和感を感じる程度になると靴から砂等を出す手間をかける必要があったが砂等の侵入を防ぐカバー付きの靴下は販売されていない。
【先行技術文献】
【特許文献】
【０００３】
【特許文献１】この種の従来の技術としては、特開２００６−５５６０１があるが、この防塵カバーは靴を履いた後で、足首と靴の部分に改めて防塵カバーをマジックテープ（登録商標）等で固定する必要があり、手間がかかり面倒であった。靴にマジックテープ（登録商標）等の片側を固定する手間もあった。また、靴と防塵カバーが固定されているため、この固定を外し忘れて靴を脱ごうとした場合、靴が脱げずつまずいてしまうことがあった。
【非特許文献】
【０００４】
【非特許文献１】厚めの靴下を履いて、靴の紐をきつめに締めて靴と靴下の隙間を少なめにして、砂等の侵入を削減することもある。
【考案の概要】
【考案が解決しようとする課題】
【０００５】
最近のテニスコートは砂入り人工芝コート（オムニコート）が多くなっている。テニスを行っているとき、舞い上がった砂等が主に靴と靴下の隙間から靴の中に侵入し、砂等がたまると違和感を覚えるとともに、靴に侵入した砂等を除去する手間がかかった。靴の中に入った砂が靴下の底部に体重（荷重）が掛かることにより靴下の編み目から侵入し、靴下の中にも砂が入り、靴下を脱ぐときに靴下の中から砂が出てきて、洗濯する前に砂の除去が必要となり、手間が掛かった。
【課題を解決するための手段】
【０００６】
テニスを行っている際に、舞い上がった砂等が主に靴と靴下の隙間から靴に侵入する。これを解決するために、靴と靴下の隙間をカバーで覆い、砂等の侵入を防止する防塵カバー付きの靴下を提供する。防塵カバーは靴下の足首部分に一端を砂等が入らないように固定し、円錐状に末広がりになったものがよく、靴の形状に沿ったものがよい。防塵カバーの最下部は靴の底面より少し短い方が移動中に靴で防塵カバーを踏むこともない。カバーの最下部へは移動しないフレキシブルな重しを取り付け、カバーが激しい動きの中でも舞い上がりにくくしたほうがよい。防塵カバーの材質は特にこだわるものではなく、雨天用は防水機能のあるものがよいが、通常は砂等が侵入しない目の細かさがあり、通気性の良いものが好ましい。又、色も好みによって色々の組み合わせが選べる。形状記憶布等を使用すれば、洗濯後の皴、縮みが少なくなる。さらに防塵カバーには伸縮機能があれば、靴下を履くときの着用感、靴との密着性が向上し好ましい。
【考案の効果】
【０００７】
あらかじめ靴の中の砂等がない状態にした靴を準備した後、防塵カバー付きの靴下を着用してオムニコートでテニスを４時間実施した後、靴の中の砂等の量を確認した結果、砂等は確認できなかった。使用感にも何の違和感もなく満足すべきものであった。
【図面の簡単な説明】
【０００８】
【図１】防塵カバー１と靴２と靴下３と足４の本考案の一実施例を示す説明図。
【図２】靴下のボディー部が長い靴下３の足首部に防塵カバー１を取り付けた一実施例の説明図。
【図３】靴下のボディー部が短い靴下３の足首部に防塵カバー１を取り付けた一実施例の説明図。
【図４】防塵カバー１の一実施例を示す説明図。
【図５】防塵カバー１の一実施例を示す説明図。
【図６】防塵カバー１の一実施例を示す説明図
【図７】図４の断面Ａ−Ａを示す説明図。
【図８】図５の断面Ｂ−Ｂを示す説明図
【図９】図６の断面Ｃ−Ｃを示す説明図
【考案を実施するための形態】
【０００９】
以下に図示の実施例に基づいて本考案をさらに詳細に説明する。
【実施例】
【００１０】
図１は本考案の一実施例を示す説明図である。靴下３の足首部に防塵カバー１を取り付けることによって、靴下３とシューズ２の隙間を覆い砂等がシューズ２に侵入することを防ぐ構造になっている。防塵カバー１の最下部は靴３の底面より短くし移動中に靴３で防塵カバー１を踏むことがないようにした。図２はボディー部が長い靴下３の足首部に防塵カバー１を取り付けた一実施例の説明図である。防塵カバーは砂等を通過しない通気性の良い薄い布で製作し、靴下と固定する部分の円周長さは踵部分を容易に通過できる長さとし、靴下とは糸で砂等が入らないように縫合した。図３はボディー部が短い靴下３の足首部に防塵カバー１を取り付けた一実施例の説明図である。ボディー部が短い靴下３の足首部にも図２同様に防塵カバー１を取り付けた。図４は防塵カバー１の一実施例を示す説明図である。１ａ機材はポリエステル６５％、綿３５％の布を使用した。１ｂ部は防塵カバー１が激しい動きのなかでも舞い上がりにくくするためのフレキシブルな重しで、図７に示す断面Ａ−Ａの厚めの布６ａを縫合した。図５は防塵カバー１の一実施例を示す説明図である。１ｃ部は防塵カバー１が激しい動きのなかでも舞い上がりにくくするためのフレキシブルな重しで、図８に示すアルミ網戸用の網押えゴムφ３．５ｍｍの中空ゴムを約１０ｍｍにカットしたもの６ｂを防塵カバー１の最下部円周長さよりやや短めにして糸７で数珠つなぎしたものを糸で縫合し、固定した。図６は防塵カバー１の一実施例を示す説明図である。１ｄ部は防塵カバー１が激しい動きのなかでも舞い上がりにくくするためのフレキシブルな重しで、エポキシ接着剤を間隔を置いて盛り付けた。
【産業上の利用可能性】
【００１１】
防塵カバー付きの靴下が試作できること、防塵カバー付きの靴下を履いてテニスを行ったとき違和感もなく、靴の中に砂等が入らないことを確認できたため、多くのテニスプレーヤーが利用でき、砂等の侵入による不快感や砂等を除去する手間を解消できる。
【符号の説明】
【００１２】
１    防塵カバー
１ａ    防塵カバー機材
１ｂ    防塵カバー重し部１
１ｃ    防塵カバー重し部２
1d      防塵カバー重し部３
２    シューズ
３    靴下
４    足
５    縫合糸
６ａ    厚めの布（重し）
６ｂ    カットした網押えゴム（重し）
７      糸
【図１】
0003193845.tif 000003
【図２】
0003193845.tif 000004
【図３】
0003193845.tif 000005
【図４】
0003193845.tif 000006
【図５】
0003193845.tif 000007
【図６】
0003193845.tif 000008
【図７】
0003193845.tif 000009
【図８】
0003193845.tif 000010
【図９】
0003193845.tif 000011